(57)【要約】【課題】内部で発生したエラーにかかるエラー関連情報を、表示装置に確実に表示させることができる印刷装置、及び印刷装置のエラー表示方法を提供する。【解決手段】インクジェット式プリンタ１１の制御装置は、用紙に対して印刷を実行するための印刷タスクと、内部で発生したエラーにかかるエラー関連情報を表示装置に表示させるための表示タスクとが実行可能とされ、該表示タスクは、印刷タスクの後処理として実行される。そして、制御装置は、内部でエラーが発生した場合、該エラーにかかるエラー関連情報を、印刷タスクの実行時に、ＲＡＭの表示タスク用領域に記憶させ、その後の前記表示タスクの実行時に、ＲＡＭの表示タスク用領域から読み出したエラー関連情報を表示装置に表示させる。【選択図】図４
2008068597.tif 000002
【特許請求の範囲】
【請求項１】
内部で発生したエラーにかかるエラー関連情報を記憶する記憶手段と、
該記憶手段から前記エラー関連情報を読み出して表示装置に表示させる制御手段とを備え、
前記制御手段は、ターゲットに対して印刷を実行するための印刷処理と、エラーにかかるエラー関連情報を前記表示装置に表示させるための表示処理とが実行可能とされ、前記印刷処理は、前記表示処理よりも実行の優先順位が高く設定されており、
前記制御手段は、エラーが発生した場合、該エラーにかかるエラー関連情報を、前記印刷処理の実行時に、前記記憶手段のうち前記表示処理が実行されるときに読み出し可能に設定された表示処理用領域に記憶させ、その後の前記表示処理の実行時に、前記記憶手段の表示処理用領域から読み出した前記エラー関連情報を前記表示装置に表示させる印刷装置。
【請求項２】
前記記憶手段には、情報が送受信可能な状態で接続された外部装置と情報の共有が可能に設定された外部装置用領域が設けられており、
前記制御手段は、エラーが発生した場合、前記印刷処理の実行時に、前記エラーにかかるエラー関連情報を前記記憶手段の表示処理用領域に記憶させると共に、前記エラー関連情報のうち前記エラーが発生した箇所にかかるエラー箇所情報については、これを前記記憶手段の外部装置用領域にも記憶させる請求項１に記載の印刷装置。
【請求項３】
発生したエラーを解除する際に操作される操作手段をさらに備え、前記記憶手段の表示処理用領域は、表示処理用のキューとして機能するようになっており、
前記制御手段は、前記印刷処理の実行時に前記操作手段が操作されたことを検出した場合、該操作手段が操作されたことにより、発生していたエラーが解除されたことを示すエラー解除情報を前記記憶手段の表示処理用領域に記憶させると共に、エラーが発生し得る各箇所のうち予め設定された所定箇所にかかる初期箇所情報を前記記憶手段の外部装置用領域に記憶させる請求項２に記載の印刷装置。
【請求項４】
ターゲットを給送可能な給送機構を複数備え、
前記制御手段は、前記各給送機構のうち駆動中の給送機構においてターゲットが不足したことに基づくエラーが発生した場合、ターゲット不足及びターゲットが不足した給送機構にかかるエラー関連情報を、印刷処理の実行時に、前記記憶手段の表示処理用領域に記憶させる請求項１〜請求項３のうち何れか一項に記載の印刷装置。
【請求項５】
内部で発生したエラーにかかるエラー関連情報を記憶し、該エラー関連情報を読み出して表示装置に表示させる印刷装置のエラー表示方法であって、
前記印刷装置は、ターゲットに対して印刷を実行するための印刷処理と、発生したエラーにかかる前記エラー関連情報を前記表示装置に表示させるための表示処理とが実行可能とされ、前記印刷処理は、前記表示処理よりも実行の優先順位が高く設定されており、
エラーが発生した場合には、該エラーにかかるエラー関連情報が、前記印刷処理の実行時に、前記表示処理が実行されるときに読み出し可能に設定された記憶手段の表示処理用領域に記憶され、その後の前記表示処理の実行時に、前記記憶手段の表示処理用領域から読み出された前記エラー関連情報が前記表示装置に表示されるようにした印刷装置のエラー表示方法。
【発明の詳細な説明】
【技術分野】
【０００１】
本発明は、印刷装置、及び印刷装置のエラー表示方法に関する。
【背景技術】
【０００２】
一般に、用紙（ターゲット）に対して印刷を実行する印刷装置では、印刷の実行中に、用紙切れや装置内で用紙が詰まる、所謂紙ジャムなどのエラーが発生することがある。こうした場合に、そのエラーの内容を表示させる表示装置を備えた印刷装置として、例えば特許文献１に記載の印刷装置が従来から提案されている。この特許文献１に記載の印刷装置では、各種のエラー（例えば、用紙切れと紙ジャム）の重要度などに応じて、優先順位が予め設定されており、複数のエラーが発生した場合には最も優先順位が高いエラー（例えば紙ジャム）の内容が表示装置に表示される。また、表示装置の表示内容を切り替えるための表示切替スイッチが操作された場合には、現在表示されているエラー（紙ジャム）以外のエラー（用紙切れ）の内容が表示されるようになっている。
【０００３】
また、近年では、複数（例えば２つ）の給紙機構（給送機構）が設けられた印刷装置（以下、「従来印刷装置」という。）も提案されている。この従来印刷装置の制御手段は、複数（例えば、２つ）のタスク（処理）を実行可能に構成されており、これら各タスクについては、実行に関して優先順位が設定されている。具体的には、制御手段は、用紙に対して印刷を実行するための印刷タスク（印刷処理）と、印刷装置内部で発生したエラーの内容などを表示装置に表示させるための表示タスク（表示処理）とが実行可能に構成されており、印刷タスクのほうが、表示タスクよりも実行の優先順位が高く設定されている。
【０００４】
そして、印刷装置内部でエラー（例えば、第２給紙機構で用紙切れ）が検出された場合には、印刷タスクの実行時に、そのエラーの内容（用紙切れ）がＲＡＭの表示タスク用領域（表示処理用領域）に記憶されると共に、エラーの発生した箇所（第２給紙機構）がＲＡＭのデータベース用領域（外部装置用領域）に記憶される。なお、ＲＡＭにおいて、表示タスク用領域は、表示タスクの実行時のみに読み出し可能に構成されたキューである一方、データベース用領域は、情報が送受信可能な状態でホストコンピュータ（外部装置）に印刷装置が接続された場合に、ホストコンピュータ側と情報の共有が可能に設定された領域である。
【０００５】
そして、印刷タスクの処理終了後の表示タスクの実行時において、ＲＡＭの各領域からエラーの内容（用紙切れ）及び発生した箇所（第２給紙機構）にかかるエラー関連情報が読み出され、エラー関連情報が表示装置に表示されるようになっていた。すなわち、表示装置には、印刷タスクの実行終了後において、第２給紙機構にて用紙切れが発生した旨が表示されるようになっていた。
【特許文献１】特公平２−６１０３５号公報
【発明の開示】
【発明が解決しようとする課題】
【０００６】
ところで、従来印刷装置において、ＲＡＭのデータベース用領域は、印刷タスクの実行時において適宜書き換え可能に設定されている。そのため、印刷タスクの実行中において、エラー（例えば、第２給紙機構で用紙切れ）を検出した後に、ＲＡＭのデータベース用領域に記憶された情報（第２給紙機構）が書き換えられるような処理（例えば、リセット処理）が実行された場合、表示タスクの実行によって、表示装置には、従来印刷装置にて発生したエラーの内容とは異なる内容が表示されるおそれがあった。すなわち、表示タスクが実行される前に、ＲＡＭのデータベース用領域に記憶されている内容が書き換えられた場合、表示装置には、従来印刷装置において第２給紙機構で用紙切れが発生したにも関わらず、第２給紙機構にて用紙切れが発生した旨が表示されないおそれがあった。
【０００７】
本発明は、このような事情に鑑みてなされたものであり、その目的は、内部で発生したエラーにかかるエラー関連情報を、表示装置に正確に表示させることができる印刷装置、及び印刷装置のエラー表示方法を提供することにある。
【課題を解決するための手段】
【０００８】
上記目的を達成するために、本発明の印刷装置は、内部で発生したエラーにかかるエラー関連情報を記憶する記憶手段と、該記憶手段から前記エラー関連情報を読み出して表示装置に表示させる制御手段とを備え、前記制御手段は、ターゲットに対して印刷を実行するための印刷処理と、エラーにかかるエラー関連情報を前記表示装置に表示させるための表示処理とが実行可能とされ、前記印刷処理は、前記表示処理よりも実行の優先順位が高く設定されており、前記制御手段は、エラーが発生した場合、該エラーにかかるエラー関連情報を、前記印刷処理の実行時に、前記記憶手段のうち前記表示処理が実行されるときに読み出し可能に設定された表示処理用領域に記憶させ、その後の前記表示処理の実行時に、前記記憶手段の表示処理用領域から読み出した前記エラー関連情報を前記表示装置に表示させる。
【０００９】
この発明によれば、内部でのエラーが検出された場合、該エラーにかかるエラー関連情報が、表示処理時以外は読み出し不能に設定された記憶手段の表示処理用領域に記憶される。そして、印刷処理の実行後に表示処理が実行されることにより、記憶手段の表示処理用領域からエラー関連情報が読み出され、該エラー関連情報が表示装置に表示される。したがって、印刷装置の内部で発生したエラーにかかるエラー関連情報を、表示装置に正確に表示させることができる。
【００１０】
本発明の印刷装置において、前記記憶手段には、情報が送受信可能な状態で接続された外部装置と情報の共有が可能に設定された外部装置用領域が設けられており、前記制御手段は、エラーが発生した場合、前記印刷処理の実行時に、前記エラーにかかるエラー関連情報を前記記憶手段の表示処理用領域に記憶させると共に、前記エラー関連情報のうち前記エラーが発生した箇所にかかるエラー箇所情報については、これを前記記憶手段の外部装置用領域にも記憶させる。
【００１１】
従来印刷装置の場合のように、表示処理の実行時に、記憶手段の外部装置用領域からエラー箇所情報を読み出す場合には、外部装置用領域は印刷処理の実行時などに書き換えられる可能性があるため、表示装置上に誤った情報が表示されるおそれがある。しかし、本発明では、表示処理の実行時には、記憶手段の表示処理用領域から読み出されたエラー関連情報を表示装置に表示させるようになっている。そのため、表示処理時に、誤った情報を読み出すことが抑制される結果、適切なエラー関連情報を表示装置に表示させることが可能になる。
【００１２】
本発明の印刷装置は、発生したエラーを解除する際に操作される操作手段をさらに備え、前記記憶手段の表示処理用領域は、表示処理用のキューとして機能するようになっており、前記制御手段は、前記印刷処理の実行時に前記操作手段が操作されたことを検出した場合、該操作手段が操作されたことにより、発生していたエラーが解除されたことを示すエラー解除情報を前記記憶手段の表示処理用領域に記憶させると共に、エラーが発生し得る各箇所のうち予め設定された所定箇所にかかる初期箇所情報を前記記憶手段の外部装置用領域に記憶させる。
【００１３】
この発明によれば、操作手段が操作されても、記憶手段の表示処理用領域は、表示処理時用のキューであるため、エラー関連情報が書き換えられることはない。そのため、表示処理時には、記憶手段の表示処理用領域に記憶されている情報を順番に読み出し、読み出した各情報を表示装置上に順番に表示させることが可能になる。
【００１４】
本発明の印刷装置には、ターゲットを給送可能な給送機構を複数備え、前記制御手段は、前記各給送機構のうち駆動中の給送機構においてターゲットが不足したことに基づくエラーが発生した場合、ターゲット不足及びターゲットが不足した給送機構にかかるエラー関連情報を、印刷処理の実行時に、前記記憶手段の表示処理用領域に記憶させる。
【００１５】
この発明によれば、各給送機構のうち一つの給送機構にてターゲットの不足が発生した場合、記憶手段の表示処理用領域には、当該一つの給送機構にてターゲットの不足が発生したというエラー関連情報が記憶される。そして、表示処理の実行に基づいて、表示装置上には、一つの給送機構にてターゲットの不足が発生した旨が表示される。すなわち、どの給送機構でターゲットの不足が発生したのかを正確に表示装置上に表示させることが可能になる。
【００１６】
本発明の印刷装置のエラー表示方法は、内部で発生したエラーにかかるエラー関連情報を記憶し、該エラー関連情報を読み出して表示装置に表示させる印刷装置のエラー表示方法であって、前記印刷装置は、ターゲットに対して印刷を実行するための印刷処理と、発生したエラーにかかる前記エラー関連情報を前記表示装置に表示させるための表示処理とが実行可能とされ、前記印刷処理は、前記表示処理よりも実行の優先順位が高く設定されており、エラーが発生した場合には、該エラーにかかるエラー関連情報が、前記印刷処理の実行時に、前記表示処理が実行されるときに読み出し可能に設定された記憶手段の表示処理用領域に記憶され、その後の前記表示処理の実行時に、前記記憶手段の表示処理用領域から読み出された前記エラー関連情報が前記表示装置に表示されるようにした。
【００１７】
この発明によれば、内部でのエラーが検出された場合、該エラーにかかるエラー関連情報が、表示処理時以外は読み出し不能に設定された記憶手段の表示処理用領域に記憶される。そして、印刷処理の実行後に表示処理が実行されることにより、記憶手段の表示処理用領域からエラー関連情報が読み出され、該エラー関連情報が表示装置に表示される。したがって、印刷装置の内部で発生したエラーにかかるエラー関連情報を、表示装置に確実に表示させることができる。
【発明を実施するための最良の形態】
【００１８】
以下、本発明の印刷装置及び印刷装置のエラー表示方法を具体化した一実施形態を図１〜図４に従って説明する。なお、以下における本明細書中の説明において、「上下方向」、「前後方向」は図１における上下方向、前後方向をそれぞれ示すものとする。
【００１９】
図１に示すように、本実施形態の印刷装置としてのインクジェット式プリンタ１１は、箱状をなす本体ケース１２を備えている。この本体ケース１２の後面側には、後方から本体ケース１２内にターゲットとしての用紙Ｐを給送するための第１給送機構（「自動給紙装置」ともいう。）１３が設けられている。この第１給送機構１３には、第１給紙トレイ１４及び図示しないホッパなどを備えた第１用紙ガイド１５と、第１給紙トレイ１４にセットされた用紙Ｐを一枚ずつ本体ケース１２内に給送するための第１給送用駆動部１６とが設けられている。
【００２０】
また、本体ケース１２の前面側の下方には、前方から本体ケース１２内に用紙Ｐを給送するための第２給送機構１７が設けられている。この第２給送機構１７には、第２給紙トレイ１８及び図示しないホッパなどを備えた第２用紙ガイド１９と、第２給紙トレイ１８にセットされた用紙Ｐを一枚ずつ本体ケース１２内に給送するための第２給送用駆動部２０とが設けられている。
【００２１】
本体ケース１２内には、図１における紙面と直交する方向に往復動可能なキャリッジ２１が設けられている。このキャリッジ２１の下面側には、記録ヘッド２２が設けられる一方、キャリッジ２１上には記録ヘッド２２に対してインクを供給するための図示しないインクカートリッジが着脱可能に搭載されている。そして、このインクカートリッジ内に収容されたインクは、図示しない圧電素子の駆動により記録ヘッド２２の下面にて構成されるノズル形成面に開口する図示しないノズルに供給され、本体ケース１２内に給送された用紙Ｐに対して吐出されるようになっている。すなわち、各給送機構１３，１７の何れかによって本体ケース１２内に給送された用紙Ｐに対して印刷が実行される。
【００２２】
また、本体ケース１２の前面側において、第２給送機構１７よりも上側には、本体ケース１２内で印刷された用紙Ｐを本体ケース１２外に排出（排紙）するための排出機構２３が設けられている。この排出機構２３には、印刷された用紙Ｐを収容する排紙トレイ２４と、印刷された用紙Ｐを排紙トレイ２４に向けて排出させるための排出用駆動部２５とが設けられている。
【００２３】
図２に示すように、インクジェット式プリンタ１１には、液晶モニタなどの表示画面を有する表示装置２６が設けられている。この表示装置２６の表示画面上には、インクジェット式プリンタ１１の現在の状態（例えば、印刷中）、及び、該プリンタ１１内で発生したエラーの内容（用紙切れや紙ジャムなど）とエラーの発生した箇所（第２給送機構１７など）などが表示されるようになっている。
【００２４】
次に、インクジェット式プリンタ１１の電気的構成について図２に基づき以下説明する。
図２に示すように、インクジェット式プリンタ１１は、制御手段としての制御装置４０を備えている。そして、この制御装置４０は、ＣＰＵ４１、ＲＯＭ４２、ＲＡＭ４３及びＡＳＩＣ（Application Specific Integrated Circuit）４４などを備えたデジタルコンピュータと、各装置を駆動させるための駆動回路（図示略）とを主体として構成されている。また、制御装置４０は、インターフェース４５を介して各種情報の送受信が可能な状態で外部装置としてのホストコンピュータ４６に接続されている。
【００２５】
ＲＯＭ４２には、各機構を制御するための各種の制御プログラムなどが記憶されている。具体的には、ＲＯＭ４２には、図３（ａ）に示すように、用紙Ｐに対して印刷を実行するための印刷処理としての印刷タスク用のプログラム（以下、「印刷タスク用プログラム」という。）４２Ａが予め記憶されている。また、ＲＯＭ４２には、表示装置２６の表示画面上の表示態様を制御するための表示処理としての表示タスク用のプログラム（以下、「表示タスク用プログラム」という。）４２Ｂが予め記憶されている。本実施形態では、印刷タスク用プログラム４２Ａのほうが、表示タスク用プログラム４２Ｂよりも実行の優先順位が高く設定されているため、印刷タスクの後処理として表示タスクが実行される。
【００２６】
ＲＡＭ４３には、インクジェット式プリンタ１１の駆動中に適宜書き換えられる各種情報や、ホストコンピュータ４６から受信した各種情報などが記憶されるようになっている。具体的には、ＲＡＭ４３には、図３（ｂ）に示すように、印刷タスク用プログラム４２Ａの実行時の印刷要求などが記憶される印刷タスク用領域（印刷処理用領域）４３Ａが設けられており、該印刷タスク用領域４３Ａは、先に入力された情報が先に出力される印刷タスク用のキューとして機能する。すなわち、印刷タスク用領域４３Ａは、ＣＰＵ４１が印刷タスク用プログラム４２Ａを実行している間のみ、読み出し可能に設定されている。
【００２７】
また、ＲＡＭ４３には、印刷タスク用プログラム４２Ａの実行時に検出されたエラーの内容やエラーの発生した箇所などにかかるエラー関連情報などが記憶される表示タスク用領域（表示処理用領域）４３Ｂが設けられており、該表示タスク用領域４３Ｂは、先に入力された情報が先に出力される表示タスク用のキューとして機能する。すなわち、表示タスク用領域４３Ｂは、ＣＰＵ４１が表示タスク用プログラム４２Ｂを実行している間のみ、読み出し可能に設定されている。したがって、本実施形態では、ＲＡＭ４３が、記憶手段としても機能するようになっている。
【００２８】
さらに、ＲＡＭ４３には、上記各タスクの共有領域である外部装置用領域としてのデータベース領域４３Ｃが設けられている。このデータベース領域４３Ｃには、インクジェット式プリンタ１１内でエラーが発生した場合、該エラーの発生した箇所にかかるエラー箇所情報が記憶される。また、データベース領域４３Ｃは、インクジェット式プリンタ１１に情報の送受信が可能な状態で接続されたホストコンピュータ４６と情報の共有が可能に設定されている。そのため、図４に示すように、ホストコンピュータ４６がインクジェット式プリンタ１１に対してポーリング（例えば定期的に送信するステータス要求など）を行った場合、データベース領域４３Ｃに記憶されている情報（エラー箇所情報）が読み出され、インターフェース４５を介してポーリングに応答するようになっている。
【００２９】
なお、ＲＡＭ４３のデータベース領域４３Ｃには、インクジェット式プリンタ１１内でエラーが発生していない場合、該プリンタ１１内でエラーが発生し得る各箇所（給送機構１３，１７）のうち予め設定された所定箇所（本実施形態では、第１給送機構１３）にかかる初期箇所情報が記憶されている。
【００３０】
制御装置４０の入力側インターフェースには、第１給送機構１３にて用紙Ｐ切れが発生したことを検出するための第１用紙切れ検出センサＳＥ１と、第２給送機構１７にて用紙Ｐ切れが発生したことを検出するための第２用紙切れ検出センサＳＥ２とが接続されている。また、入力側インターフェースには、キャリッジ２１に搭載されたインクカートリッジのＩＣチップ（図示略）が接続されており、ＩＣチップに記憶されている情報に基づき、制御装置４０は、インク切れが発生したか否かを判断するようになっている。さらに、入力側インターフェースには、本体ケース１２内で紙ジャム（紙詰まり）の発生を検出するための各種センサが接続されている。また、入力側インターフェースには、インクジェット式プリンタ１１内で用紙切れなどのエラーが発生した場合に、該エラーが発生した状態を解除する際に操作されるリセットスイッチＳＷ１が接続されている。
【００３１】
なお、紙ジャムの検出は、各種センサからの信号に基づき検出するのではなく、例えば、給送用駆動部１６，２０に設けられた図示しないモータに供給する電流の大きさから検出するようにしてもよい。すなわち、本体ケース１２内で紙ジャムが発生した場合、給送用駆動部１６，２０のモータに加わる負荷が大きくなるため、モータに供給される電流は、紙ジャムが発生していない場合に比して大きくなる。したがって、このように構成すると、制御装置４０は、モータに供給される電流が予め設定された電流閾値以上になった場合に、紙ジャムが発生したと判断することになる。
【００３２】
制御装置４０の出力側インターフェースには、第１給送用駆動部１６、第２給送用駆動部２０、及び表示装置２６が接続されている。また、出力側インターフェースには、キャリッジ２１を駆動させるための図示しないキャリッジモータ、及び記録ヘッド２２からインクを吐出させるための圧電素子（図示略）が接続されている。
【００３３】
次に、本実施形態の制御装置４０（ＣＰＵ４１及びＡＳＩＣ４４）が印刷タスク用プログラム４２Ａ及び表示タスク用プログラム４２Ｂを順番に実行する場合について、図４に基づき以下説明する。なお、インクジェット式プリンタ１１内では、第２給送機構１７にて用紙切れが発生しているものとし、制御装置４０が印刷タスク用プログラム４２Ａを実行している最中にリセットスイッチＳＷ１が操作されるものとする。
【００３４】
さて、ホストコンピュータ４６から印刷情報を受信した場合、制御装置４０は、まず、印刷タスク用プログラム４２Ａを実行する。この際において、第２給送機構１７において用紙切れが発生している場合、制御装置４０は、第２用紙切れ検出センサＳＥ２からの信号入力により、第２給送機構１７にて用紙切れが発生したというエラーを検出する。そして、制御装置４０は、エラーの内容（用紙切れ）とエラーの発生した箇所（第２給送機構１７）とにかかるエラー関連情報をＲＡＭ４３の表示タスク用領域４３Ｂに記憶させる。また、制御装置４０は、エラーの発生した箇所（第２給送機構１７）にかかるエラー箇所情報をＲＡＭ４３のデータベース領域４３Ｃに記憶させる。
【００３５】
そして、制御装置４０は、ホストコンピュータ４６から受信した印刷情報を用紙Ｐに印刷するべく、第１給送機構１３の第１給送用駆動部１６を駆動させることにより、第１給送機構１３から一枚の用紙Ｐを本体ケース１２内に給送させる。続いて、制御装置４０は、キャリッジモータを駆動させることにより、キャリッジ２１を往復動させると共に、圧電素子を駆動させることにより、記録ヘッド２２からインクを吐出させる。
【００３６】
このように用紙Ｐに対して印刷が実行されている間（即ち、印刷タスクが実行されている間）に、リセットスイッチＳＷ１が操作されたことを制御装置４０が検出した場合、制御装置４０は、内部のエラーが解除（リセット）された旨の情報（リセット情報）を、上書き記憶されないＲＡＭ４３の表示タスク用領域４３Ｂに記憶させる。また、制御装置４０は、リセットスイッチＳＷ１が操作されたことに起因して、初期箇所情報（第１給送機構１３にかかる情報）を、上書き記憶可能なＲＡＭ４３のデータベース領域４３Ｃに記憶させる。
【００３７】
そして、印刷タスク用プログラム４２Ａの実行が終了すると、制御装置４０は、表示タスク用プログラム４２Ｂの実行を開始する。すなわち、制御装置４０は、ＲＡＭ４３の表示タスク用領域４３Ｂに記憶されている情報のうち、１番初めに記憶されたエラー関連情報を読み出し、該エラー関連情報を表示装置２６に表示させる。すると、表示装置２６の表示画面上には、第２給送機構１７にて用紙切れが発生した旨のメッセージが表示される。
【００３８】
続いて、制御装置４０は、ＲＡＭ４３の表示タスク用領域４３Ｂに記憶されている情報のうち、２番目に記憶されたリセット情報を読み出し、該リセット情報を表示装置２６に表示させる。すると、表示装置２６の表示画面上には、第２給送機構１７にて用紙切れが発生した旨のメッセージが消去され、内部で発生していたエラーが解除された旨のメッセージが表示される。なお、この場合、制御装置４０は、第２給送機構１７にて用紙切れが発生した旨のメッセージを表示装置２６の表示画面上から消去するだけでもよい。また、ホストコンピュータ４６は、図４に示すように、ＲＡＭ４３のデータベース領域４３Ｃに記憶されていたエラー箇所情報が初期箇所情報に書き換えられる前に、エラー箇所情報（第２給送機構１７）を取得しているため、正確な情報を取得している。
【００３９】
ちなみに、インクジェット式プリンタ１１内に第２給送機構１７から給送された用紙Ｐに起因して紙ジャムが発生した場合、制御装置４０は、印刷タスク用プログラム４２Ａの実行時に、第２給送機構１７から給送された用紙Ｐが詰まった旨をＲＡＭ４３の表示タスク用領域４３Ｂに記憶させる。また、制御装置４０は、エラーの発生した箇所として第２給送機構１７にかかるエラー箇所情報をＲＡＭ４３のデータベース領域４３Ｃに記憶させる。そのため、インクジェット式プリンタ１１内で紙ジャムが発生した場合であっても、正確なエラー関連情報が表示装置２６の表示画面上に表示される。
【００４０】
したがって、本実施形態では、以下に示す効果を得ることができる。
（１）インクジェット式プリンタ（印刷装置）１１内で発生したエラー（例えば、第２給送機構１７での用紙切れ）が検出された場合、該エラーにかかるエラー関連情報が、ＲＡＭ４３の表示タスク用領域（表示処理用領域）４３Ｂに記憶される。そして、印刷タスク（印刷処理）の実行後に表示タスク（表示処理）が実行されることにより、ＲＡＭ４３の表示タスク用領域４３Ｂからエラー関連情報が読み出され、該エラー関連情報が表示装置２６に表示される。すなわち、表示装置２６の表示画面上には、第２給送機構１７にて用紙切れが発生した旨のメッセージが表示される。したがって、インクジェット式プリンタ１１の内部で発生したエラーにかかるエラー関連情報を、表示装置２６に正確に表示させることができる。
【００４１】
（２）従来印刷装置の場合のように、ＲＡＭ４３のデータベース領域（外部装置用領域）４３Ｃからエラー箇所情報（例えば、第２給送機構１７）を読み出す場合には、データベース領域４３Ｃは印刷タスクの実行時などに書き換えられる可能性がある。そのため、表示タスク（表示処理）の実行に基づき、表示装置２６の表示画面上に誤った情報が表示されるおそれがある。すなわち、表示装置２６の表示画面上には、第２給送機構１７にて用紙切れが発生した旨のメッセージが表示されないおそれがある。しかし、本実施形態では、表示タスクの実行時には、ＲＡＭ４３の表示タスク用領域（表示処理用領域）４３Ｂから読み出されたエラー関連情報を表示装置２６上に表示させるようになっている。そのため、表示タスクの実行時に、誤った情報を読み出すことが抑制される結果、適切なエラー関連情報を表示装置２６の表示画面上に表示させることができる。
【００４２】
（３）リセットスイッチ（操作手段）ＳＷ１が操作されても、ＲＡＭ４３の表示タスク用領域（表示処理用領域）４３Ｂは、表示タスク（表示処理）時用のキューであるため、エラー関連情報が書き換えられることはない。そのため、表示タスクの実行時には、ＲＡＭ４３の表示タスク用領域４３Ｂに記憶されている情報を順番に読み出し、読み出した各情報を表示装置２６の表画面上に順番に表示させることができる。
【００４３】
（４）各給送機構１３，１７のうち一つの給送機構（例えば、第２給送機構１７）にて用紙（ターゲット）Ｐの不足が発生した（即ち、用紙切れが発生した）場合、ＲＡＭ４３の表示タスク用領域（表示処理用領域）４３Ｂには、第２給送機構１７にて用紙切れが発生したというエラー関連情報が記憶される。そして、表示タスク（表示処理）の実行に基づいて、表示装置２６の表示画面上には、第２給送機構１７にて用紙切れが発生した旨のメッセージが表示される。すなわち、何れの給送機構１３，１７で用紙切れが発生したのかを正確に表示装置２６の表示画面上に表示させることができる。
【００４４】
（５）各給送機構１３，１７のうち一つの給送機構（例えば、第２給送機構１７）から給送された用紙（ターゲット）Ｐに起因して、かむジャムが発生した場合、ＲＡＭ４３の表示タスク用領域（表示処理用領域）４３Ｂには、第２給送機構１７から給送された用紙Ｐが詰まってしまったというエラー関連情報が記憶される。そして、表示タスク（表示処理）の実行に基づいて、表示装置２６の表示画面上には、第２給送機構１７から給送された用紙Ｐが詰まってしまった旨のメッセージが表示される。すなわち、何れの給送機構１３，１７から給送された用紙Ｐに起因して紙ジャムが発生したのかを正確に表示装置２６の表示画面上に表示させることができる。
【００４５】
なお、上記実施形態は以下のような別の実施形態に変更してもよい。
・上記実施形態において、インクカートリッジのインク切れの発生を検出した場合には、印刷タスクの実行によって、ＲＡＭ４３の表示タスク用領域４３Ｂには、インクカートリッジのインク切れが発生した旨のエラー関連情報が記憶される。また、ＲＡＭ４３のデータベース領域４３Ｃには、インクカートリッジというエラー箇所情報が記憶される。そして、表示タスクの実行によって、表示装置２６の表示画面上には、インクカートリッジのインク切れが発生した旨のメッセージが表示される。
【００４６】
・もし仮にインクジェット式プリンタ１１が、第２給送機構１７にて用紙切れが発生した場合には第１給送機構１３から用紙Ｐを給送するように構成されていたとすると、以下に示すタイミングでＲＡＭ４３のデータベース領域４３Ｃが書き換えられることもある。すなわち、第２給送機構１７にて用紙切れが検出された後に、第１給送機構１３にて用紙切れが検出された場合には、印刷タスクの実行時に、第２給送機構１７にて用紙切れが発生したという印刷関連情報が、ＲＡＭ４３の表示タスク用領域４３Ｂに記憶される。また、ＲＡＭ４３のデータベース領域４３Ｃには、第２給送機構１７がエラー箇所情報として記憶される。その後に、第１給送機構１３にて用紙切れが発生したという印刷関連情報が、ＲＡＭ４３の表示タスク用領域４３Ｂに記憶されると共に、第１給送機構１３にかかるエラー箇所情報が、ＲＡＭ４３のデータベース領域４３Ｃに記憶される。すなわち、ＲＡＭ４３のデータベース領域４３Ｃでは、第２給送機構１７にかかるエラー箇所情報が消去され、第１給送機構１３にかかるエラー箇所情報が記憶される。その結果、表示タスクが実行されることにより、表示装置２６の表示画面上には、まず始めに、第２給送機構１７にて用紙切れが発生した旨のメッセージが表示され、その後、第１給送機構１３にて用紙切れが発生した旨のメッセージが表示される。
【００４７】
・上記実施形態において、インクジェット式プリンタ１１は、２つ以外の任意数（例えば、１つや３つ）の給送機構が設けられた構成であってもよい。
・上記実施形態において、初期箇所情報に関する所定箇所は、エラーの発生し得る箇所であれば任意の箇所（例えば、第２給送機構１７）であってもよい。
【００４８】
・上記実施形態において、制御装置４０は、印刷タスクの実行時に、エラー箇所情報をＲＡＭ４３のデータベース領域４３Ｃに記憶させなくてもよい。
・上記実施形態において、印刷装置は、レーザー光を利用して感光体にトナー（黒炭の粉）を付着させ、それを熱と圧力で用紙に転写して印刷を行なう、所謂レーザプリンタに具体化してもよい。
【図面の簡単な説明】
【００４９】
【図１】本実施形態におけるインクジェット式プリンタの内部を示す模式図。
【図２】本実施形態における電気的構成を示すブロック回路図。
【図３】（ａ）はＲＯＭの構成を示すブロック図、（ｂ）はＲＡＭの構成を示すブロック図。
【図４】制御装置の各タスクの制御手順を示す説明図。
【符号の説明】
【００５０】
１１…インクジェット式プリンタ（印刷装置）、１３…第１給送機構、１７…第２給送機構、２６…表示装置、４０…制御装置（制御手段）、４２Ａ…印刷タスク用プログラム、４２Ｂ…表示タスク用プログラム、４３…ＲＡＭ（記憶手段）、４３Ｂ…ＲＡＭの表示タスク用領域（表示処理用領域）、４３Ｃ…ＲＡＭのデータベース領域（外部装置用領域）、４６…ホストコンピュータ（外部装置）、Ｐ…用紙（ターゲット）、ＳＷ１…リセットスイッチ（操作手段）。
【図１】
2008068597.tif 000003
【図２】
2008068597.tif 000004
【図３】
2008068597.tif 000005
【図４】
2008068597.tif 000006